【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
バルブおよび電気機械デバイスのアセンブリであって：
提供される流体が通ずる開口を画定し、かつバルブシートを画定する壁面を有するハウジングを含む、セルフシールバルブ；
柔軟なダイヤフラムアセンブリであって、柔軟なダイアフラムを前記開口およびバルブシートに隣接して位置決めし、当該柔軟なダイアフラムアセンブリの第１の側に提供される流体の付勢下において、前記柔軟なダイアフラムの少なくとも一部が少なくとも部分的に前記バルブシートから離れるように構成され、また、当該柔軟なダイアフラムアセンブリの第２の側における流体の付勢下において、柔軟なダイアフラムアセンブリを閉じて、前記柔軟なダイアフラムのバルブシートに対するセルフシールを維持するように構成される、前記柔軟なダイヤフラムアセンブリ；
作動アームを含む電気機械デバイスであって、前記作動アームは、セルフシールバルブを開くために、前記柔軟なダイアフラムアセンブリの少なくとも一部がバルブシートから少なくとも部分的に強制的に離れるように、当該作動アームが前記柔軟なダイアフラムアセンブリに作用する第１の位置を有し、かつ、作動アームが前記柔軟なダイアフラムアセンブリに作用しない第２の位置を有する、前記電気機械デバイスを含む、前記バルブおよび電気機械デバイスのアセンブリ。
【請求項２】
柔軟なダイアフラムアセンブリの第１の側に作用するように、電気機械デバイスが、柔軟なダイアフラムアセンブリの第１の側近傍に位置決めされる、請求項１に記載のアセンブリ。
【請求項３】
柔軟なダイアフラムアセンブリの一部が、バルブハウジングの壁面の一部に、ヒンジ取り付けアセンブリでヒンジ取り付けされる、請求項１に記載のアセンブリ。
【請求項４】
作動アームが、ヒンジ取り付けアセンブリと反対側の柔軟なダイアフラムアセンブリの一部において、柔軟なダイアフラムアセンブリに接触する、請求項１に記載のアセンブリ。
【請求項５】
バルブシートを提供するために、バルブハウジングが、開口が提供される壁面を画定する、径が一定の部分を含み、バルブハウジングが、径が増大した部分をさらに含み、前記径が一定の部分と前記径が増大した部分との間にテーパ状壁面を備える、請求項１に記載のアセンブリ。
【請求項６】
電気機械デバイスが、柔軟なダイアフラムと第１の位置において接触するために作動アームを付勢するように構成され、それによりセルフシールバルブを付勢開放する、請求項１に記載のアセンブリ。
【請求項７】
電気機械デバイスがソレノイドを含む、請求項１に記載のアセンブリ。
【請求項８】
電気機械デバイスがモータを含む、請求項１に記載のアセンブリ。
【請求項９】
柔軟なダイアフラムアセンブリの第１の側の流体を提供するように、位置決めされる流体移動デバイスをさらに含む、請求項１に記載のアセンブリ。
【請求項１０】
セルフシールバルブを覆うカバーであって、カバーから突出する突出アームを有し、電気機械デバイスの作動アームと相互作用するように構成される表面を有する、前記カバーをさらに含む、請求項１に記載のアセンブリ。
【請求項１１】
カバーを開くために、第１の位置において、カバーの突出アームと相互作用するように作動アームが位置決めされる、請求項１０に記載のアセンブリ。
【請求項１２】
電気機械デバイスが、作動アームをカバーおよびセルフシールバルブと相互作用しない位置に維持するバネアセンブリを含む、請求項１１に記載のアセンブリ。
【請求項１３】
作動アームを強制的にカバーと相互作用させるために、押し下げられるように構成される膨張レバーをさらに含む、請求項１２に記載のアセンブリ。
【請求項１４】
押し下げられたときに、膨張レバーによって接触されるように膨張レバーに対して位置決めされる電源スイッチであって、膨張レバーによって接触されるときには、流体を提供するために流体移動デバイスにおいて付勢し、そうでないときは流体移動デバイスの付勢を解く記電源スイッチをさらに含む、請求項１３に記載のアセンブリ。
【請求項１５】
カバーと相互作用し、柔軟なダイアフラムアセンブリの一部と相互作用するために押し下げられるように構成される収縮レバーをさらに含み、柔軟なダイアフラムの少なくとも前記一部が、強制的に少なくとも部分的に離れてセルフシールバルブを開く、請求項１２に記載のアセンブリ。
【請求項１６】
第２のセルフシールバルブおよび電気機械デバイスのアセンブリであって：
提供される流体が通ずる第２の開口を画定し、かつ第２のバルブシートを画定する第２の壁面を有するハウジングを含む、第２のセルフシールバルブ；
第２の柔軟なダイヤフラムアセンブリであって、第２の柔軟なダイアフラムを前記第２の開口および第２のバルブシートに隣接して位置決めし、当該第２の柔軟なダイアフラムアセンブリの第１の側に提供される流体の付勢下において、前記第２の柔軟なダイアフラムの少なくとも一部が少なくとも部分的に前記第２のバルブシートから離れるように構成され、また、当該第２の柔軟なダイアフラムアセンブリの第２の側における流体の付勢下において、第２の柔軟なダイアフラムアセンブリを閉じて、前記第２の柔軟なダイアフラムの第２のバルブシートに対するセルフシールを維持するように構成される、前記第２の柔軟なダイヤフラムアセンブリ；
第２の作動アームを含む第２の電気機械デバイスであって、前記第２の作動アームは、第２のセルフシールバルブを開くために、前記第２の柔軟なダイアフラムアセンブリの少なくとも一部が第２のバルブシートから少なくとも部分的に強制的に離れるように、当該第２の作動アームが前記第２の柔軟なダイアフラムアセンブリに作用する第１の位置を有し、かつ、第２の作動アームが前記第２の柔軟なダイアフラムアセンブリに作用しない第２の位置を有する、前記第２の電気機械デバイスを含む、前記第２のセルフシールバルブおよび電気機械デバイスのアセンブリをさらに含む、請求項１に記載のアセンブリ。
【請求項１７】
第１の電気機械デバイスおよび第２の電気機械デバイスがモータを含む、請求項１６に記載のアセンブリ。
【請求項１８】
第３の作動デバイスに応答する回動アームをさらに含む、請求項１６に記載のアセンブリであって、前記回動アームは、流体移動デバイスからセルフシールバルブを密封するために、セルフシールバルブの柔軟なダイアフラムアセンブリの第１の側から、流体移動デバイスから流体を密封する第１の位置と、第２のセルフシールバルブの第２の柔軟なダイアフラムアセンブリの第１の側を流体移動デバイスから密封する第２の位置との間を回動し、それにより一度にセルフシールバルブアセンブリと第２のセルフシールアセンブリのうち１つのみが流体移動デバイスに連結され得る、前記アセンブリ。
【請求項１９】
第１の電気機械デバイスおよび第２の電気機械デバイスがモータを含む、請求項１８に記載のアセンブリ。
【請求項２０】
第３の電気機械デバイスもまたモータを含む、請求項１９に記載のアセンブリ。
【請求項２１】
第１の電気機械デバイスおよび第２の電気機械デバイスのそれぞれがソレノイドを含む、請求項１８に記載のアセンブリ。
【請求項２２】
第３の電気機械デバイスもまたソレノイドを含む、請求項２１に記載のアセンブリ。
【請求項２３】
第１の電気機械デバイスおよび第２の電気機械デバイスのそれぞれがソレノイドを含む、請求項１６に記載のアセンブリ。
【請求項２４】
アセンブリに連結される流体不浸透性の袋をさらに含む、請求項１に記載のアセンブリ。
【請求項２５】
セルフシールバルブおよび電気機械デバイスを含む膨張可能なデバイス内の流体の量を調節する方法であって：
開口およびセルフシールバルブを通じて流体を膨張可能なデバイスに提供するために、流体移動デバイスから提供される十分な流体圧でセルフシールバルブを付勢開放すること；
膨張可能なデバイス内の流体から、また、流体が存在しない場合には流体移動デバイスからの十分な圧で、セルフシールバルブを閉じた位置に付勢すること；および
膨張可能なデバイス内の流体の量を調節するために、電気機械デバイスでセルフシールバルブを少なくとも部分的に開いた位置に付勢すること
を含む、前記方法。
【請求項２６】
セルフシールバルブを少なくとも部分的に開いた位置に付勢することが、作動デバイスの作動アームおよびセルフシールバルブの柔軟なダイアフラムアセンブリと接触することを含む、請求項２５に記載の方法。
【請求項２７】
セルフシールバルブを少なくとも部分的に開いた位置に付勢することが、作動デバイスの作動アーム、および柔軟なダイアフラムアセンブリのヒンジ点の反対側の柔軟なダイアフラムアセンブリの一部と接触することを含む、請求項２６に記載の方法。
【請求項２８】
少なくとも部分的に電気機械デバイスに開いたセルフシールバルブを付勢することが、電気機械デバイスの作動アームでセルフシールバルブの柔軟なダイアフラムと接触することを含む、請求項２５に記載の方法。
【請求項２９】
少なくとも部分的に電気機械デバイスに開いたセルフシールバルブを付勢することが、少なくとも部分的にソレノイドに開いたセルフシールバルブを付勢することを含む、請求項２５に記載の方法。
【請求項３０】
少なくとも部分的に電気機械デバイスに開いたセルフシールバルブを付勢することが、少なくとも部分的にモータに開いたセルフシールバルブを付勢することを含む、請求項２５に記載の方法。
【請求項３１】
少なくとも部分的に電気機械デバイスに開いたセルフシールバルブを付勢することが、セルフシールバルブを介して膨張可能なデバイスから少なくとも部分的に流出することを可能にすることを含む、請求項２５に記載の方法。
【請求項３２】
流体を膨張可能なデバイスに提供するために、セルフシールバルブを付勢開放することが、電気機械デバイスでセルフシールバルブを付勢開放しないことを含む、請求項２５に記載の方法。
【請求項３３】
流体を膨張可能なデバイスに提供するために、セルフシールバルブを付勢開放することが、電気機械デバイスでセルフシールバルブを付勢開放することを含む、請求項２５に記載の方法。
【請求項３４】
流体を膨張可能なデバイスに提供するために、セルフシールバルブを付勢開放することが、セルフシールバルブを覆うカバーを付勢開放することを含む、請求項２５に記載の方法。
【請求項３５】
流体を膨張可能なデバイスに提供するために、セルフシールバルブを付勢開放することが、流体を提供するために流体移動デバイスにおいて付勢することを含む、請求項２５に記載の方法。
【請求項３６】
セルフシールバルブを少なくとも部分的に開いた位置に付勢することが、セルフシールバルブを覆うカバーを付勢開放することを含む、請求項２５に記載の方法。
【請求項３７】
第２のセルフシールバルブの開口を通じて流体を膨張可能なデバイスに提供するために、流体移動デバイスから提供される十分な流体圧で第２のセルフシールを付勢開放すること；
膨張可能なデバイス内の流体から、また、流体が存在しない場合には流体移動デバイスからの十分な圧の下で、第２のセルフシールバルブを閉じた位置に付勢すること；および
膨張可能なデバイス内の流体の量を調節するために、第２の電気機械デバイスで第２のセルフシールバルブを少なくとも部分的に開いた位置に付勢すること
を含む、請求項２５に記載の方法。
【請求項３８】
流体移動デバイスからのいずれの流体もセルフシールバルブの柔軟なダイアフラムアセンブリの第１の側からシールする第１の位置と、第２のセルフシールバルブの第２の柔軟なダイアフラムアセンブリの第２の側を流体移動デバイスからシールする第２の位置との間のアームを回動させることを含み、それにより一度にセルフシールバルブのアセンブリおよび第２のセルフシールバルブのアセンブリの１つのみが、流体移動デバイスと連結され得る、請求項３７に記載の方法。